(57)【要約】【課題】電気通信回線に接続されていない装置に対する作業をより確実に実行させる。【解決手段】印刷装置１３のＣＰＵ２２は、管理コンピュータ８０にＬＡＮ１１を介して接続されており、この装置の上流側で実装関連処理を実行する供給装置１２（非接続処理装置）に対して作業者が行う段取替え処理に関する作業情報を作業者に対して報知する。これを確認した作業者は、供給装置１２に対して行うべき段取替えの作業を行う。なお、供給装置１２は、ＬＡＮ１１に接続されておらず、表示部を備えていない。また、ＣＰＵ２２は、次の実装関連処理での印刷処理ユニット２３の変更に関する情報を含む段取替え情報を管理コンピュータ８０から取得し、段取替え情報に供給装置１２に関する作業情報が含まれているときには、この作業情報を作業者へ報知するものとしてもよい。【選択図】図２
2015170802.tif 000002
【特許請求の範囲】
【請求項１】
部品を基板に実装する処理に関する実装関連処理の情報を管理する管理装置と、前記管理装置から電気通信回線を介して情報を取得する情報取得手段と前記実装関連処理を実行する処理実行手段とを有する実装関連処理装置と、前記管理装置に電気通信回線で接続されておらず前記実装関連処理を実行する非接続処理装置と、を備えた実装処理システムでの前記実装関連処理装置であって、
作業者へ情報を報知する報知手段と、
前記実装関連処理を上流側で実行する非接続処理装置及び／又は前記実装関連処理を下流側で実行する非接続処理装置に対して作業者が行う作業情報を前記報知手段に報知させる制御手段と、
を備えた実装関連処理装置。
【請求項２】
前記情報取得手段は、次の実装関連処理での前記処理実行手段の変更に関する情報を含む段取替え情報を前記管理装置から取得し、
前記制御手段は、前記段取替え情報に前記非接続処理装置に関する前記作業情報が含まれているときには、該作業情報を前記報知手段に報知させる、請求項１に記載の実装関連処理装置。
【請求項３】
前記情報取得手段は、次の実装関連処理での前記処理実行手段の変更に関する情報を含む段取替え情報を前記管理装置から取得し、
前記制御手段は、前記処理実行手段の変更に関連して前記非接続処理装置に変更を要するか否かを判定し、変更を要するときには該非接続処理装置の変更に関する情報を前記作業情報として前記報知手段に報知させる、請求項１又は２に記載の実装関連処理装置。
【請求項４】
前記制御手段は、前記作業情報を報知させ、前記作業者からの所定の確認入力を取得したあとに、前記実装関連処理を前記処理実行手段に実行させる、請求項１〜３のいずれか１項に記載の実装関連処理装置。
【請求項５】
前記非接続処理装置は、作業者へ情報を報知する報知手段を備えておらず、且つ前記実装関連処理装置とは電気通信回線を介して接続されており、
前記制御手段は、前記作業情報を報知させ、前記作業者からの所定の確認入力を取得したあとに、前記実装関連処理の実行開始指令を前記非接続処理装置へ出力させる、請求項１〜４のいずれか１項に記載の実装関連処理装置。
【請求項６】
前記管理装置は、前記実装関連処理装置と、該実装関連処理装置の周辺に配置された前記非接続処理装置とを対応付けた対応情報を記憶しており、
前記情報取得手段は、前記対応情報を前記管理装置から取得し、
前記制御手段は、前記対応情報に基づいて前記作業情報を前記報知手段に報知させる、請求項１〜５のいずれか１項に記載の実装関連処理装置。
【発明の詳細な説明】
【技術分野】
【０００１】
本発明は、実装関連処理装置に関する。
【背景技術】
【０００２】
従来、実装関連処理装置としては、実装処理が停止している状態において、作業者が表示装置に表示された画面で、現行のプリント基板種から次に生産するプリント基板種を選択すると、基板組立実装ライン内の全ての電子部品装着装置へ選択されたプリント基板の機種名と段取替えコマンドを送信するものが提案されている（例えば、特許文献１参照）。この装置では、基板組立実装ライン中に複数台の作業装置があっても、基板の機種変更に伴う複数台の作業装置の段取替えを一括して行えるようにして、作業管理者の作業の軽減を図ることができるとしている。
【先行技術文献】
【特許文献】
【０００３】
【特許文献１】特開２０１１−８２４６４号公報
【発明の概要】
【発明が解決しようとする課題】
【０００４】
しかしながら、基板組立実装ラインには、例えば基板搬送用のベルトコンベアや基板供給マガジンなど、情報を取得するためのネットワークに接続するインタフェースを備えていない装置も存在することがある。このような装置では、コマンドを受信できないため、例えば作業者が段取替えの作業に気付かないことがあり得ることから、必要な作業を行うことができない場合があった。
【０００５】
本発明は、このような課題に鑑みなされたものであり、電気通信回線に接続されていない装置に対する作業をより確実に実行させることができる実装関連処理装置を提供することを主目的とする。
【課題を解決するための手段】
【０００６】
本発明は、上述の主目的を達成するために以下の手段を採った。
【０００７】
即ち、本発明の実装関連処理装置は、
部品を基板に実装する処理に関する実装関連処理の情報を管理する管理装置と、前記管理装置から電気通信回線を介して情報を取得する情報取得手段と前記実装関連処理を実行する処理実行手段とを有する実装関連処理装置と、前記管理装置に電気通信回線で接続されておらず前記実装関連処理を実行する非接続処理装置と、を備えた実装処理システムでの前記実装関連処理装置であって、
作業者へ情報を報知する報知手段と、
前記実装関連処理を上流側で実行する非接続処理装置及び／又は前記実装関連処理を下流側で実行する非接続処理装置に対して作業者が行う作業情報を前記報知手段に報知させる制御手段と、
を備えたものである。
【０００８】
この装置では、管理装置に電気通信回線を介して接続されており、この装置の上流側もしくは下流側で実装関連処理を実行する装置であって、電気通信回線に接続されていない非接続処理装置に対して作業者が行う作業情報を作業者に対して報知する。即ち、この装置では、例えば管理装置から実装関連処理に関する情報を取得したときに、非接続処理装置に対して行うべき情報を作業者に報知するのである。これを確認した作業者は、非接続処理装置に対して行うべき作業を行うことになる。したがって、電気通信回線に接続されていない装置に対する作業をより確実に実行させることができる。ここで「電気通信回線」は、例えば、ネットワーク（例えばＬＡＮ）としてもよいし、ローカル接続（例えばＵＳＢ）としてもよい。また、この実装関連処理装置は、例えば、部品を基板に実装する実装装置としてもよいし、実装処理に要する、基板に対して所定の塗布剤（例えばはんだペーストや接着剤）を塗布する印刷装置としてもよいし、基板に塗布した塗布剤を硬化させる硬化処理装置としてもよい。また、報知手段は、例えば、画像表示により作業情報を作業者へ報知する表示手段としてもよいし、音声により作業情報を作業者へ報知する音声出力手段としてもよい。
【０００９】
本発明の実装関連処理装置において、前記情報取得手段は、次の実装関連処理での前記処理実行手段の変更に関する情報を含む段取替え情報を前記管理装置から取得し、前記制御手段は、前記段取替え情報に前記非接続処理装置に関する前記作業情報が含まれているときには、該作業情報を前記報知手段に報知させるものとしてもよい。こうすれば、段取替えにおける変更作業をより確実に実行させることができる。このため、段取替え後の実装関連処理の実行をより確実に行うことができる。
【００１０】
本発明の実装関連処理装置において、前記情報取得手段は、次の実装関連処理での前記処理実行手段の変更に関する情報を含む段取替え情報を前記管理装置から取得し、前記制御手段は、前記処理実行手段の変更に関連して前記非接続処理装置に変更を要するか否かを判定し、変更を要するときには該非接続処理装置の変更に関する情報を前記作業情報として前記報知手段に報知させるものとしてもよい。こうすれば、段取替えにおける変更作業をより確実に実行させることができる。このため、段取替え後の実装関連処理の実行をより確実に行うことができる。
【００１１】
本発明の実装関連処理装置において、前記制御手段は、前記作業情報を報知させ、前記作業者からの所定の確認入力を取得したあとに、前記実装関連処理を前記処理実行手段に実行させるものとしてもよい。こうすれば、作業者からの確認に基づいて、実装関連処理をより確実に開始することができる。
【００１２】
本発明の実装関連処理装置において、前記非接続処理装置は、作業者へ情報を報知する報知手段を備えておらず、且つ前記実装関連処理装置とは電気通信回線を介して接続されており、前記制御手段は、前記作業情報を報知させ、前記作業者からの所定の確認入力を取得したあとに、前記実装関連処理の実行開始指令を前記非接続処理装置へ出力させるものとしてもよい。こうすれば、作業者からの確認を得たのち、実装関連処理をより確実に開始することができる。
【００１３】
本発明の実装関連処理装置において、前記管理装置は、前記実装関連処理装置と、該実装関連処理装置の周辺に配置された前記非接続処理装置とを対応付けた対応情報を記憶しており、前記情報取得手段は、前記対応情報を前記管理装置から取得し、前記制御手段は、前記対応情報に基づいて前記作業情報を前記報知手段に報知させるものとしてもよい。こうすれば、対応情報を用いて、この実装関連処理装置に対応付けられた非接続処理装置に関する作業情報を報知するから、非接続処理装置への作業を一層確実に実行させることができる。
【図面の簡単な説明】
【００１４】
【図１】実装システム１０の概略説明図。
【図２】実装システム１０の各装置の構成を表すブロック図。
【図３】子機登録処理ルーチンの一例を示すフローチャート。
【図４】子機登録画面４０の一例を示す説明図。
【図５】段取替え処理ルーチンの一例を示すフローチャート。
【図６】段取替え指示画面５０の一例を示す説明図。
【図７】装置別変更画面６０の一例を示す説明図。
【発明を実施するための形態】
【００１５】
次に、本発明を実施するための形態を図面を用いて説明する。図１は、実装システム１０の概略説明図である。図２は、実装システム１０の各装置の構成を表すブロック図である。実装システム１０は、基板Ｓを供給する供給装置１２（図２参照）と、供給装置１２から供給された基板Ｓ上にはんだを印刷する印刷処理を実行する印刷装置１３と、部品を基板Ｓ上に実装する実装処理を実行する実装装置１４とを備えている。また、実装システム１０は、基板Ｓを実装装置１４から硬化炉１６へ搬送する連結コンベア１５と、基板Ｓのリフロー処理を実行する硬化炉１６と、リフロー後の基板Ｓを収納する収納装置１７と、情報を管理する管理コンピュータ８０とを備えている。図２に示すように、印刷装置１３、実装装置１４及び管理コンピュータ８０は、ネットワーク（電気通信回線）としてのＬＡＮ１１に接続されており、情報のやりとりを行うことができる。実装システム１０は、例えば、基板Ｓの供給処理、搬送処理、はんだ印刷処理、部品配置処理、リフロー処理、及び収容処理など、部品を基板Ｓに実装する処理に関する実装関連処理を実行する装置が順次接続された生産ラインとして構成されている。この実装システム１０を構成する装置のうち、供給装置１２、連結コンベア１５、硬化炉１６及び収納装置１７は、ＬＡＮ１１に接続されておらず、管理コンピュータ８０との情報のやりとりができない非接続処理装置を構成する。また、印刷装置１３及び実装装置１４は、管理コンピュータ８０との情報のやりとりができる実装関連処理装置を構成する。
【００１６】
供給装置１２は、基板Ｓを複数収容したマガジンを備えている。この供給装置１２は、大きさの異なる複数種のマガジンを装着可能であり、複数種の大きさの基板を供給可能に構成されている。作業者は、製造する基板Ｓの変更に伴い、マガジンの変更や、基板Ｓを搬送するコンベヤ幅の変更などを手動により行う。なお、供給装置１２、連結コンベア１５及び収納装置１７は、装置の各種情報を表示する表示部を備えていない。
【００１７】
印刷装置１３は、スキージを用いてスクリーンマスクに形成されたパターン孔にはんだを押し込むことによりそのパターン孔を介して下方の基板Ｓにはんだを塗布（印刷）する装置である。この印刷装置１３は、図２に示すように、ＣＰＵ２２を有し装置全体の制御を司るコントローラ２１と、スキージやスクリーンマスクを有し印刷処理を実行する印刷処理ユニット２３と、表示部２５及び操作部２６を備えた操作パネル２４と、ＬＡＮ１１に接続された外部機器と双方向通信を行う通信部２８と、を備えている。表示部２５は、各種情報を表示し作業者へ情報を報知するディスプレイとして構成されている。操作部２６は、作業者が各種指令を入力するタッチパネル及び入力キーなどを備えている。また、この印刷装置１３は、管理コンピュータ８０からの実装関連ジョブに基づき、次の生産基板Ｓに適合するレーン幅にコンベア幅を自動変更可能な自動段取替え機構を備えている。また、印刷装置１３は、ローカル通信ケーブルにより供給装置１２と電気的に接続されており、供給装置１２側へ基板Ｓの払出信号を出力する。これを受けた供給装置１２は、基板Ｓを印刷装置１３側へ供給する処理を実行する。
【００１８】
実装装置１４は、部品を基板Ｓ上の所定位置に配置（実装）する装置である。なお、実装処理とは、部品を基板上に配置、装着、挿入、接合、接着する処理などを含む。この実装装置１４は、図２に示すように、ＣＰＵ３２を有し装置全体の制御を司るコントローラ３１と、部品を採取するヘッドや基板Ｓを搬送する搬送部を有し実装処理を実行する実装処理ユニット３３と、表示部３５及び操作部３６を備えた操作パネル３４と、ＬＡＮ１１に接続された外部機器と双方向通信を行う通信部３８とを備えている。表示部３５は、各種情報を表示し作業者へ情報を報知するディスプレイとして構成されている。操作部３６は、作業者が各種指令を入力するタッチパネル及び入力キーなどを備えている。また、この実装装置１４は管理コンピュータ８０からの実装関連ジョブに基づき、次の生産基板Ｓの幅に適合するレーン幅にコンベア幅を自動変更可能な自動段取替え機構を備えている。
【００１９】
連結コンベア１５は、実装装置１４から供給された基板Ｓを硬化炉１６へ搬送する装置である。作業者は、製造する基板Ｓの変更に伴い、基板Ｓを搬送するコンベヤ幅の変更などを手動により行う。
【００２０】
硬化炉１６は、はんだ上に部品Ｐが配置された基板Ｓを加熱することによりはんだを溶融し、その後冷却することにより各部品Ｐを基板Ｓ上に電気的に接続、固定する装置である。硬化炉１６は、ヒータを備え基板Ｓを収容する加熱室６３と、ヒータを制御する制御部とを備えている。
【００２１】
収納装置１７は、リフロー済みの基板Ｓ上の部品Ｐを、出荷用のトレイに順次載置する処理を行う装置である。この収納装置１７は、出荷用のトレイを収容する第１収容部と、基板Ｓを載置したあとのトレイを収容する第２収容部と、基板Ｓをトレイへ載置させる移動部とを備えている。
【００２２】
管理コンピュータ８０は、実装システム１０の各装置の情報を管理するコンピュータである。管理コンピュータ８０は、図１に示すように、ＣＰＵ８２、ＲＯＭ８３及びＲＡＭ８４などにより構成され装置全体の制御を司るコントローラ８１と、各種アプリケーションプログラムや各種データファイルを記憶するＨＤＤ８５と、ＬＡＮ１１に接続された外部機器と双方向の通信を行う通信部８６とを備える。また、管理コンピュータ８０は、作業者が各種指令を入力するキーボード及びマウス等の入力デバイス８７と、各種情報を表示するディスプレイ８８とを備えている。ＨＤＤ８５には、実装関連ジョブ８５ａや、対応情報８５ｂ、機種情報８５ｃ、段取替え情報８５ｄなどが記憶されている。実装関連ジョブ８５ａは、実装関連処理（例えば、基板Ｓの供給処理、基板Ｓの搬送処理、基板Ｓへの印刷処理、基板Ｓへの部品の配置処理、基板Ｓのリフロー処理、基板Ｓの収容処理など）を実行する条件などを含む情報である。例えば、実装装置１４の実装ジョブ８５ａでは、部品種別情報、部品を基板Ｓへ配置する配置場所、配置する順番、部品を採取する採取部（ノズルなど）の情報など各種基板Ｓの製造を行う条件を含む。対応情報８５ｂは、ＬＡＮ１１に接続され実装処理に関する処理を行う装置（実装関連処理装置）を親機とし、ＬＡＮ１１に接続されておらず実装関連処理を行う装置（非接続処理装置）を子機として対応づけた情報である。なお、ここでは、主従関係を鑑みて便宜的に親機及び子機と称して説明するが特に意味はなく、単に互いの装置が対応付けられていればよい。機種情報８５ｃは、実装システム１０に組み込み可能な装置の機種名、型番、及び製造する基板種の変更に伴い実装関連処理で変更が必要な項目（段取替え項目とも称する）などを相互に対応づけた情報である。実装システム１０は、製造元の異なる様々な装置を組み込み可能であり、機種情報８５ｃは、これら組み込み可能な装置のデータベースとして構成されている。段取替え情報８５ｄは、次の実装関連処理でのユニット（例えば印刷処理ユニット２３や実装処理ユニット３３）の変更に関する情報を含むものである。この段取替え情報８５ｄは、基板Ｓを新たに生産する前にＣＰＵ８２によって作成される。
【００２３】
次に、こうして構成された本実施形態の実装システム１０の動作、まず、対応情報８５ｂに親機及び子機を登録する処理について説明する。図３は、管理コンピュータ８０のＣＰＵ８２により実行される子機登録処理ルーチンの一例を示すフローチャートである。このルーチンは、管理コンピュータ８０のＨＤＤ８５に記憶され、作業者による開始指示により実行される。実装システム１０では、製造元の異なる装置が製造ラインとして配置されることがあり、このような場合は、各装置のインタフェースの違いなどにより、各装置を連携させることができない場合がある。また、実装システム１０には、連結コンベア１５など、表示部や通信部を備えない簡易な装置もある。本発明の実装システム１０では、管理コンピュータ８０に接続された装置を親機とし、この親機に子機を登録しておき、親機に子機の情報を表示することにより、作業者がその連携を担うのである。
【００２４】
このルーチンを開始すると、まず、ＣＰＵ８２は、子機登録画面をディスプレイ８８に表示させる（ステップＳ１００）。図４は、子機登録画面４０の一例を示す説明図である。この子機登録画面４０には、親機の装置を指定する親機指定欄４２、子機の装置を指定する子機指定欄４４、入力確定時に押下される登録キー４６、入力終了時に押下される終了キー４８などが配置されている。この子機登録画面４０では、親機指定欄４２や子機指定欄４４は、機種情報８５ｃを利用したプルダウンメニューにより、装置を選択可能に構成されている。また、工場内に複数の実装システム１０を備えている場合は、子機登録画面４０では、タブの切替により生産ラインを選択するものとする。作業者は、まず、カーソル４１を操作し、生産ライン（実装システム１０）を選択し、親機指定欄４２に親機とするべきＬＡＮ１１に接続された装置を選択し、子機指定欄４４に子機とするべきＬＡＮ１１に接続されていない装置を選択する。このとき、作業者は、作業情報の取得と作業の行いやすさから、子機の周辺であって子機に一番近い装置を親機に設定してもよい。そして、作業者は、カーソル４１を操作し、登録キー４６を押下する。ＣＰＵ８２は、子機登録画面４０に入力された内容から、親機の情報を取得し（ステップＳ１１０）、組み込まれた装置（子機）の情報を取得する（ステップＳ１２０）。そして、ＣＰＵ８２は、親機と子機とを対応付けて対応情報８５ｂに登録し（ステップＳ１３０）、登録する次の装置があるか否かを判定する（ステップＳ１４０）。この判定では、終了キー４８が押下されたときに、登録する次の装置がないものとする。登録する次の装置があるときには、ＣＰＵ８２は、ステップＳ１００以降の処理を実行し、登録する次の装置がないときには、そのままこのルーチンを終了する。このように、管理コンピュータ８０は、親機と子機との対応関係を対応情報８５ｂにより管理する。
【００２５】
次に、実装システム１０において、先の基板Ｓの生産が終了したあと、次の基板Ｓの生産を開始する前に、各装置の作業条件などを変更する、いわゆる段取替え処理について説明する。図５は、実装システム１０の印刷装置１３や実装装置１４で実行される段取替え処理ルーチンの一例を示すフローチャートである。ここでは、親機を印刷装置１３とし、子機を供給装置１２として登録した対応情報８５ｂがあるものとし、印刷装置１３の段取替え動作として便宜的に説明する。なお、実装システム１０において、対応情報８５ｂには、図２の点線矢印に示すように、印刷装置１３を親機とし供給装置１２を子機とする登録と、最下流の実装装置１４を親機とし連結コンベア１５、硬化炉１６及び収納装置１７を子機とする登録があるものとする。この段取替え処理ルーチンは、印刷装置１３のＨＤＤに記憶され、先の基板Ｓの生産が終了したあとコントローラ２１のＣＰＵ２２により実行される。
【００２６】
このルーチンを開始すると、まずＣＰＵ２２は、管理コンピュータ８０から実装関連ジョブ及び段取替え情報を取得する（ステップＳ２００）。この実装関連ジョブ及び段取替え情報は、実装関連ジョブ８５ａ及び対応情報８５ｂを用いて管理コンピュータ８０で作成されたものを通信部２８を介して取得する。管理コンピュータ８０は、実装関連ジョブ８５ａに基づき、各装置で実行される実装関連ジョブと、この実装関連ジョブを実行するに際してその装置で必要とされる段取替え処理の情報を含む段取替え情報を作成する。このとき、管理コンピュータ８０は、対応情報８５ｂに基づき、子機が登録されている装置（親機）に対しては、子機の情報を含む段取替え情報を作成する。管理コンピュータ８０は、例えば親機と子機とが段取替えを要する共通するユニットを備えるときには、その旨の情報を含む段取替え情報を作成する。このような共通するユニットとしては、例えば基板Ｓの幅に合わせて基板Ｓを搬送するコンベアユニットなどが挙げられる。また、管理コンピュータ８０は、段取替えを要するユニットを子機のみが備える場合は、そのユニットを変更する旨のメッセージを装置別変更情報として含む段取替え情報を作成する。また、そのような子機の段取替えが複数必要である場合は、複数の装置別変更情報を含む段取替え情報を作成するものとする。なお、このような特殊なユニットとしては、例えば、供給装置１２のマガジンや、硬化炉１６のヒータ、収納装置１７の移動部などが挙げられる。
【００２７】
実装関連ジョブ及び段取替え情報を取得すると、ＣＰＵ２２は、段取替え情報に基づいて、段取替え処理を実行する（ステップＳ２１０）。例えば、前回の基板Ｓと次回の基板Ｓとの幅が異なる場合には、自動段取替え機構により、コンベア幅を自動変更する。また、作業者の作業を要する場合は、作業内容を表示し、その作業が終了した旨の入力があったのち実装処理へ移行するものとする。この作業内容としては、例えば、スクリーンマスクの交換や、基板Ｓを下支えするバックアッププレートの交換などが挙げられる。この装置での段取替え処理が終了したあと、ＣＰＵ２２は、自機を親機として登録された子機があるか否かを判定する（ステップＳ２２０）。この判定は、段取替え情報にその旨の情報が含まれているか否かに基づいて行うものとする。登録された子機がないときには、ＣＰＵ２２は、実装関連処理（ここでは印刷処理）の準備が完了したものとし（ステップＳ３１０）、このルーチンを終了する。ＣＰＵ２２は、実装関連処理の準備が完了したあと、払出信号を供給装置１２へ出力し、基板Ｓの生産処理を開始する。
【００２８】
一方、ステップＳ２２０で、登録した子機があるときには、ＣＰＵ２２は、段取替え対象の子機を設定する（ステップＳ２３０）。この設定は、子機が複数登録されている場合、所定の優先順位（例えば実装関連処理のより上流側の装置など）に応じた装置を子機とするものとする。次に、ＣＰＵ２２は、親機（ここでは印刷装置１３）と同様の段取替え処理を要するユニットがあるか否かを判定する（ステップＳ２４０）。親機と同様の段取替え処理としては、例えば、基板Ｓを搬送するコンベアユニットの幅の変更処理などがある。親機と同様の段取替え処理があるときには、ＣＰＵ２２は、その段取替え内容を作業情報として作業者へ報知する（ステップＳ２５０）。作業者への作業情報の報知は、操作パネル２４の表示部２５にその内容を含む画面を表示することにより行うものとする。このとき、警告ランプを点灯させたり、ブザーなど音により報知してもよい。図６は、段取替え指示画面５０の一例を示す説明図である。この段取替え指示画面５０には、作業情報を表示する作業情報表示部５２や、作業後の確認入力を促す確認入力表示部５４などが配置されている。この段取替え指示画面５０を確認した作業者は、子機での段取替え処理作業を行う。作業者は、段取替え作業が終了すると、操作部２６において、作業を終了した旨の確認入力を行う。次に、ＣＰＵ２２は、この確認入力があるか否かを判定し（ステップＳ２６０）、確認入力がないときには、そのまま待機する。一方、確認入力があったときには、ＣＰＵ２２は、ステップＳ２４０以降の処理を繰り返し実行する。即ち、ＣＰＵ２２は、親機と同様の段取替え処理を要する、他のユニットがあるか否かを判定し、そのようなユニットがあるときには、段取替え内容を作業者に報知する。
【００２９】
一方、ステップＳ２４０で、親機と同様の段取替え処理を要するユニットが子機にないときには、ＣＰＵ２２は、作業者へ報知すべき装置別変更情報が段取替え情報に含まれているか否かを判定する（ステップＳ２７０）。作業者へ報知すべき装置別変更情報が実装関連ジョブに含まれるときには、ＣＰＵ２２は、そのメッセージを作業情報として作業者へ報知する（ステップＳ２８０）。作業者への作業情報の報知は、操作パネル２４の表示部２５にその内容を含む画面を表示することにより行うものとする。このとき、警告ランプを点灯させたり、ブザーなど音により報知してもよい。図７は、装置別変更画面６０の一例を示す説明図である。この装置別変更画面６０には、作業情報を表示する作業情報表示部６２や、作業後の確認入力を促す確認入力表示部６４などが配置されている。この装置別変更画面６０を確認した作業者は、子機での段取替え処理作業を行う。作業者は、段取替え作業が終了すると、操作部２６において、作業を終了した旨の確認入力を行う。次に、ＣＰＵ２２は、この確認入力があるか否かを判定し（ステップＳ２９０）、確認入力がないときには、そのまま待機する。一方、確認入力があったときには、ＣＰＵ２２は、ステップＳ２７０以降の処理を繰り返し実行する。即ち、ＣＰＵ２２は、作業者へ報知すべき他の装置別変更情報が段取替え情報に含まれるかを判定し、その情報があるときには、そのメッセージを作業者に報知する。なお、親機は、親機と同様の処理を行う子機のユニット（例えば基板Ｓを搬送するコンベアユニット）については、変更を要するか否かを判定することができる。一方、親機は、親機に存在しない子機のユニット（例えば供給マガジン）については、変更を要するか否かの判定を行うことができない。ここでは、実装関連ジョブに装置別変更情報が含まれているときには、作業者からの確認入力があるまで装置別変更情報のメッセージを単に表示するものとした。こうすれば、親機側で子機がどのようなユニットを備えるかを管理することなく、子機での段取替え作業を作業者に行わせることができる。
【００３０】
一方、ステップＳ２７０で、すべての情報を報知した場合など、作業者へ報知すべき他の装置別変更情報が段取替え情報に含まれていないときには、ＣＰＵ２２は、段取替え処理内容を作業者へ報知していない他の子機があるか否かを判定する（ステップＳ３００）。他の子機があるときには、ＣＰＵ２２は、ステップＳ２３０以降の処理を繰り返し実行する。即ち、ＣＰＵ２２は、ステップＳ２３０で段取替え処理内容を作業者へ報知すべき子機を設定し、段取替え内容や装置別変更情報のメッセージを作業情報として作業者へ報知する。一方、ステップＳ３００で他の子機がないときには、ＣＰＵ２２は、ステップＳ３１０で実装関連処理の準備が完了したものとし、このルーチンを終了する。ＣＰＵ２２は、実装関連処理の準備が完了したあと、払出信号を供給装置１２へ出力し、基板Ｓの生産処理を開始する。
【００３１】
ここで、本実施形態の構成要素と本発明の構成要素との対応関係を明らかにする。本実施形態の通信部２８や通信部３８が本発明の情報取得手段に相当し、印刷処理ユニット２３や実装処理ユニット３３が処理実行手段に相当し、表示部２５や表示部３５が報知手段に相当し、ＣＰＵ２２やＣＰＵ３２が制御手段に相当する。また、ＬＡＮ１１が電気通信回線に相当し、印刷装置１３や実装装置１４が実装関連処理装置に相当し、供給装置１２、連結コンベア１５、硬化炉１６及び収納装置１７が非接続処理装置に相当し、管理コンピュータ８０が管理装置に相当する。
【００３２】
以上説明した印刷装置１３によれば、管理コンピュータ８０にＬＡＮ１１を介して接続されており、この装置の上流側で実装関連処理を実行する供給装置１２（非接続処理装置）に対して作業者が行う段取替え処理に関する作業情報を作業者に対して報知する。これを確認した作業者は、供給装置１２に対して行うべき段取替えの作業を行う。したがって、ＬＡＮ１１に接続されていない装置に対する作業をより確実に実行させることができる。また、ＣＰＵ２２は、次の実装関連処理での印刷処理ユニット２３の変更に関する情報を含む段取替え情報を管理コンピュータ８０から取得し、段取替え情報に供給装置１２に関する作業情報が含まれているときには、この作業情報を報知するため、段取替えにおける変更作業をより確実に実行させることができる。このため、段取替え後の実装関連処理の実行をより確実に行うことができる。更に、ＣＰＵ２２は、印刷処理ユニット２３の変更に関連して供給装置１２に変更を要するか否かを判定し、変更を要するときにはその作業情報を報知するため、段取替えにおける変更作業をより確実に実行させることができる。このため、段取替え後の実装関連処理の実行をより確実に行うことができる。更にまた、ＣＰＵ２２は、作業情報を報知し、作業者からの所定の確認入力を取得したあとで実装関連処理を印刷処理ユニット２３に実行させるため、作業者からの確認に基づいて、実装関連処理をより確実に開始することができる。また、供給装置１２は作業者へ情報を報知するユニットを備えておらず、且つ印刷装置１３と電気通信回線を介して接続されており、ＣＰＵ２２は、作業者からの所定の確認入力を取得したあとで払出信号を供給装置１２へ出力するため、作業者からの確認を得たのち、実装関連処理をより確実に開始することができる。
【００３３】
なお、本発明は上述した実施形態に何ら限定されることはなく、本発明の技術的範囲に属する限り種々の態様で実施し得ることはいうまでもない。
【００３４】
例えば、上述した実施形態では、段取替え作業において、子機に対して作業する情報を親機が作業者へ報知するものとして説明したが、特に報知する作業情報は段取替え作業に限定されない。例えば、管理コンピュータ８０からＬＡＮ１１を介して非接続処理装置に対して作業する情報を得て、これを作業者へ報知するものとすればどのような作業でもよい。このような作業情報としては、例えば、部品の定期的な交換作業や、メンテナンス作業、装置内の清掃作業などが挙げられる。
【００３５】
上述した実施形態では、管理コンピュータ８０と印刷装置１３とがＬＡＮ１１で接続されているものとして説明したが、電子通信回線であれば特に限定されず、ネットワーク以外のローカル接続（例えばＵＳＢ）としてもよい。また、上述した実施形態では、印刷装置１３を親機とし、供給装置１２を子機として説明したが、特にこれに限定されず、親機を実装装置１４とし、子機を連結コンベア１５、硬化炉１６及び収納装置１７のうち１以上としてもよい。こうしても、上述した実施形態と同様の効果を得ることができる。
【００３６】
上述した実施形態では、画像表示により作業情報を作業者へ報知するものとして説明したが、作業情報を作業者へ報知することができればよく、例えば、音声により作業情報を作業者へ報知するものとしてもよい。こうしても、上述した実施形態と同様の効果を得ることができる。
【００３７】
上述した実施形態では、印刷装置１３や実装装置１４へ実装関連ジョブ及び段取替え情報を送信するものとして説明したが、特にこれに限られず、例えば、対応情報８５ｂを実装関連処理装置へ出力し、これに基づいて実装関連処理装置側で子機を認識し、作業情報を作業者へ報知するものとしてもよい。こうすれば、対応情報を用いて、この実装関連処理装置に対応付けられた非接続処理装置に関する作業情報を報知するから、非接続処理装置への作業を一層確実に実行させることができる。なお、上述した実施形態においても、対応情報８５ｂに基づいて作成された段取替え情報８５ｄを用いているから、ＣＰＵ２２は、間接的に対応情報８５ｂに基づいて作業情報を報知しているともいえる。
【産業上の利用可能性】
【００３８】
本発明は、部品を基板上に配置する実装関連処理を行う装置に利用可能である。
【符号の説明】
【００３９】
１０  実装システム、１１  ＬＡＮ、１２  供給装置、１３  印刷装置、１４  実装装置、１５  連結コンベア、１６  硬化炉、１７  収納装置、２１  コントローラ、２２  ＣＰＵ、２３  印刷処理ユニット、２４  操作パネル、２５  表示部、２６  操作部、２８  通信部、３１  コントローラ、３２  ＣＰＵ、３３  実装処理ユニット、３４  操作パネル、３５  表示部、３６  操作部、３８  通信部、４０  子機登録画面、４１  カーソル、４２  親機指定欄、４４  子機指定欄、４６  登録キー、４８  終了キー、５０  段取替え指示画面、５２  作業情報表示部、５４  確認入力表示部、６０  装置別変更画面、６２  作業情報表示部、６３  加熱室、６４  確認入力表示部、８０  管理コンピュータ、８１  コントローラ、８２  ＣＰＵ、８３  ＲＯＭ、８４  ＲＡＭ、８５  ＨＤＤ、８５ａ  実装ジョブ、８５ｂ  対応情報、８５ｃ  機種情報、８５ｄ  段取替え情報、８６  通信部、８７  入力デバイス、８８  ディスプレイ、Ｓ  基板。
【図１】
2015170802.tif 000003
【図２】
2015170802.tif 000004
【図３】
2015170802.tif 000005
【図４】
2015170802.tif 000006
【図５】
2015170802.tif 000007
【図６】
2015170802.tif 000008
【図７】
2015170802.tif 000009